(57)【要約】【課題】  印加された電力によって所定の温度が維持される機能を有する温度自動調節ケーブルを容易に屈曲させることによりジグザグ状に配列できる温度自動調節ケーブルの屈曲方法およびこれを適用した過熱防止温熱マットを開示する。【解決手段】  過熱防止温熱マットは、印加された電力によって所定の温度を維持する発熱手段１３０と、発熱手段１３０に電気的に接続され、発熱手段１３０に供給される電力を調節する制御部１４０と、発熱手段１３０を取り囲む外装材１１０とを含んでなる。温度自動調節ケーブルの屈曲方法は、温度自動調節ケーブルの屈曲部分を設定する段階と、屈曲部分に対応する部分の絶縁膜を除去して半導電性ポリマーを露出させる段階と、露出した前記半導体性ポリマーを除去して一対の電線を露出させる段階と、露出した屈曲部分に対応する部分の一対の電線部分を屈曲させる段階とを含む。【選択図】  図２
2009533196.tif 000002
【特許請求の範囲】
【請求項１】
印加された電力によって所定の温度を維持する発熱手段と、
前記発熱手段に電気的に接続され、前記発熱手段に供給される電力を調節する制御部と、
前記発熱手段を取り囲む外装材とを含んでなることを特徴とする過熱防止温熱マット。
【請求項２】
前記発熱手段は、温度自動調節ケーブルであることを特徴とする請求項１に記載の過熱防止温熱マット。
【請求項３】
前記温度自動調節ケーブルは、絶縁膜の内部に半導電性ポリマーを介して一対の電線が配列されていることを特徴とする請求項２に記載の過熱防止温熱マット。
【請求項４】
前記半導電性ポリマーは、炭素を含むことを特徴とする請求項３に記載の過熱防止温熱マット。
【請求項５】
前記温度自動調節ケーブルは、前記絶縁膜の外部に接地線が形成され、前記接地線および前記絶縁膜は外部絶縁膜によって取り囲まれていることを特徴とする請求項３に記載の過熱防止温熱マット。
【請求項６】
前記発熱手段は、薄肉部を有する部分的に厚さが異なることを特徴とする請求項２〜５のいずれか１項に記載の過熱防止温熱マット。
【請求項７】
前記発熱手段の薄肉部が屈曲されていることを特徴とする請求項６に記載の過熱防止温熱マット。
【請求項８】
前記発熱手段は、前記半導電性ポリマーの一部分が除去されて前記一対の電線が該半導電性ポリマーと分離されて露出したことを特徴とする請求項６に記載の過熱防止温熱マット。
【請求項９】
前記露出した一対の電線の少なくとも一つが他の絶縁膜によって取り囲まれていることを特徴とする請求項８に記載の過熱防止温熱マット。
【請求項１０】
前記露出した一対の電線部分が屈曲されていることを特徴とする請求項８に記載の過熱防止温熱マット。
【請求項１１】
前記露出した一対の電線のいずれか一つが接地されたことを特徴とする、請求項８に記載の過熱防止温熱マット。
【請求項１２】
前記発熱手段は、前記絶縁膜および前記外部絶縁膜が部分的に除去されたことを特徴とする請求項５に記載の過熱防止温熱マット。
【請求項１３】
前記発熱手段は、前記絶縁膜および前記外部絶縁膜が除去された部分が屈曲されたことを特徴とする請求項１２に記載の過熱防止温熱マット。
【請求項１４】
前記発熱手段は、前記半導電性ポリマーの一部分が除去されて前記一対の電線が該半導電性ポリマーから分離されて露出したことを特徴とする請求項１２に記載の過熱防止温熱マット。
【請求項１５】
前記露出した一対の電線の少なくとも一つが他の絶縁膜によって取り囲まれていることを特徴とする請求項１４に記載の過熱防止温熱マット。
【請求項１６】
前記露出した一対の電線から分離された前記接地線が残っていることを特徴とする請求項１４に記載の過熱防止温熱マット。
【請求項１７】
前記制御部は、前記接地線と前記一対の電線間の漏洩電流を感知する漏電遮断器を含むことを特徴とする請求項５に記載の過熱防止温熱マット。
【請求項１８】
前記発熱手段は、複数の温度自動調節ケーブルが結合手段によって直列に接続されたことを特徴とする請求項１〜５のいずれか１項に記載の過熱防止温熱マット。
【請求項１９】
前記結合手段は、前記温度自動調節ケーブルの前記一対の電線にそれぞれ接続され、複数の温度自動調節ケーブルを直列に接続することを特徴とする請求項１８に記載の過熱防止温熱マット。
【請求項２０】
前記発熱手段は、前記結合手段が屈曲されたことを特徴とする請求項１８に記載の過熱防止温熱マット。
【請求項２１】
前記外装材の内部に、前記発熱手段を取り囲む内装材をさらに含むことを特徴とする請求項１に記載の過熱防止温熱マット。
【請求項２２】
前記外装材と前記内装材との間に石粉が含まれていることを特徴とする請求項２１に記載の過熱防止温熱マット。
【請求項２３】
前記石粉は、ゲルマニウム、トルマリン、黄土、木炭、水晶、麦飯石およびセラミックよりなる群から選ばれた少なくとも一つの材質を含むことを特徴とする請求項２２に記載の過熱防止温熱マット。
【請求項２４】
前記外装材は、表面がジャガード織物であることを特徴とする請求項１に記載の過熱防止温熱マット。
【請求項２５】
前記発熱手段は、前記制御部を介して接続された電線に並列に接続され、前記外装材の内部に配列されたことを特徴とする請求項１に記載の過熱防止温熱マット。
【請求項２６】
絶縁膜の内部に充填された半導電性ポリマーを介して前記絶縁膜の内部に配列された一対の電線を含む温度自動調節ケーブルの屈曲方法において、
前記温度自動調節ケーブルの屈曲部分を設定する段階と、
前記屈曲部分に対応する部分の前記絶縁膜を除去して半導電性ポリマーを露出させる段階と、
露出した前記半導体性ポリマーを除去して一対の電線を露出させる段階と、
露出した前記屈曲部分に対応する部分の前記一対の電線部分を屈曲させる段階とを含むことを特徴とする温度自動調節ケーブルの屈曲方法。
【請求項２７】
前記温度自動調節ケーブルは、前記絶縁膜の外部に形成された接地線と、前記接地線および前記絶縁膜を取り囲む外部絶縁膜とを含み、前記温度自動調節ケーブルの屈曲部分を設定する段階の後、前記屈曲部分に対応する部分の前記外部絶縁膜を除去する段階をさらに含むことを特徴とする、請求項２６に記載の温度自動調節ケーブルの屈曲方法。
【請求項２８】
前記一対の電線を露出させる段階の後、少なくとも一つの電線を他の絶縁膜で取り囲むことを特徴とする請求項２６に記載の温度自動調節ケーブルの屈曲方法。
【発明の詳細な説明】
【技術分野】
【０００１】
本発明は、温度自動調節ケーブルの屈曲方法および過熱防止温熱マットに係り、より詳しくは、印加された電力によって所定の温度が維持される機能を有する温度自動調節ケーブルを容易に屈曲させることによりジグザグ状に配列できる温度自動調節ケーブルの屈曲方法、およびこれを適用した加熱過熱防止温熱マットに関する。
【背景技術】
【０００２】
一般に、人体は過度な運動またはストレスによって筋肉または神経などが緊張するなどの病的な状態に陥る場合が多い。特に、現代人の場合には神経緊張およびストレスによって疲労物質が体内に溜まって血流の流れに支障を来たす。
特に、年齢の増加に伴う人体機能の退化に起因する各種疾病や関節リウマチ、神経痛、慢性炎症、疲労回復などには砂、温浴などの温熱療法が用いられるが、この温熱療法は、抹消血液循環の改善と新陳代謝の促進のために伝導熱または輻射熱を利用するもので、治療効果および痛み緩和効果があると知られている。よって、温熱作用の各種湿布パックと共に、各種温熱器具が開発されて使用されている。
前記温熱器具としては、構成が簡単で使用が容易な袋に高温の液体を入れて使用するものや、発熱手段のヒーターを構成させて電気によって加温する温熱器具などが用いられている。ところが、前記袋タイプは、高温で加熱された液体が容易に冷却して長時間の使用が不可能であるという欠点がある。よって、電気を使用する場合に長時間加温状態で温熱作用を行うことが可能な温熱マットが検討された。
図１は発熱手段を使用した従来の温熱マットを示す部分切開斜視図である。
図１に示すように、従来の温熱マットは、繊維または不織布の材質で作られた内皮１０、１５の間に発熱手段としての電気熱線３０が配列され、外装材２０の内部に包まれた形態を有する。この従来の温熱マットは、電気熱線３０に電気的に接続された制御部４０を介して電流を供給すると、電気熱線３０から熱を発散して加熱する方式である。
従来の温熱マットは、このように電気熱線３０を用いて長時間加熱状態に維持しながら治療効果を得ることができるという特徴があるが、温熱マットを使用する周辺の環境温度と前記電気熱線３０に印加する電流によって使用者の体感温度が変化し続けるため、治療効果が減少し、温度が上昇または下降して使用中に続けて制御部４０を調節しなければならないという問題点がある。
また、従来の温熱マットによって発生する熱は、主に使用者の皮膚に接触して伝達されるため、皮膚深く温熱が浸透せず治療効果が制限されるという問題点がある。
従来の温熱マットに使用された電気熱線３０は、一定の抵抗を持っている抵抗線への電流の印加によって発熱するが、温熱マットを使用し続けると、電気熱線３０が変形して部分過熱が発生するため、深刻な安全上の問題がある。特に電気熱線３０の部分過熱は例えば火災、火傷、感電などの人命事故を起す危険性があるため、根本的な対策が切実に求められているのが実情である。
【発明の開示】
【発明が解決しようとする課題】
【０００３】
そこで、本発明は、かかる従来の技術の問題点を解決するためのもので、その目的は、使用する周辺の環境に関係なく一定の温度以上に過熱することを防止する機能を有する過熱防止温熱マットを提供することにある。
また、本発明の他の目的は、温熱効果によって人体に対する治療効果に優れた遠赤外線を多量に輻射し且つ電磁波を減少させる機能を有する過熱防止温熱マットを提供することにある。
また、本発明の別の目的は、身体と接触する部分の触感および緩衝作用が優れて長時間快適に使用することが可能な過熱防止温熱マットを提供することにある。
また、本発明の別の目的は、周辺を所定の温度に維持する機能を有する温度自動調節ケーブルを容易に屈曲させることが可能な温度自動調節ケーブルの屈曲方法を提供することにある。
【課題を解決するための手段】
【０００４】
本発明のある観点によれば、印加された電力によって所定の温度を維持する発熱手段と、前記発熱手段に電気的に接続され、前記発熱手段に供給される電力を調節する制御部と、前記発熱手段を取り囲む外装材とを含んでなる過熱防止温熱マットを提供する。
【０００５】
前記発熱手段は温度自動調節(self-regulating)ケーブルであることを特徴とする。
【０００６】
前記温度自動調節ケーブルは、絶縁膜の内部に半導電性ポリマーを介して一対の電線が配列されていることを特徴とする。
【０００７】
前記半導電性ポリマーは炭素を含むことを特徴とする。
【０００８】
前記温度自動調節ケーブルでは、前記絶縁膜の外部に接地線が形成され、前記接地線および前記絶縁膜は外部絶縁膜によって取り囲まれることを特徴とする。
【０００９】
前記発熱手段は、薄肉部を有する部分的に厚さが異なることを特徴とする。
【００１０】
前記発熱手段の薄肉部が屈曲されていることを特徴とする。
【００１１】
前記発熱手段は、前記半導電性ポリマーの一部分が除去されて前記一対の電線が該半導電性ポリマーと分離されて露出したことを特徴とする。
【００１２】
前記露出した一対の電線の少なくとも一つが他の絶縁膜によって取り囲まれていることを特徴とする。
【００１３】
前記露出した一対の電線部分が屈曲されていることを特徴とする。
【００１４】
前記露出した一対の電線のいずれか一つが接地されたことを特徴とする。
【００１５】
前記発熱手段は、前記絶縁膜および前記外部絶縁膜が部分的に除去されたことを特徴とする。
【００１６】
前記発熱手段は、前記絶縁膜および前記外部絶縁膜が除去された部分が屈曲されたことを特徴とする。
【００１７】
前記発熱手段は、前記半導電性ポリマーの一部分が除去されて前記一対の電線が該半導電性ポリマーから分離されて露出したことを特徴とする。
【００１８】
前記露出した一対の電線の少なくとも一つが他の絶縁膜によって取り囲まれていることを特徴とする。
【００１９】
前記露出した一対の電線から分離された前記接地線が残っていることを特徴とする。
【００２０】
前記制御部は、前記接地線と前記一対の電線間の漏洩電流を感知する漏電遮断器を含むことを特徴とする。
【００２１】
前記発熱手段は、複数の温度自動調節ケーブルが結合手段によって直列に接続されたことを特徴とする。
【００２２】
前記結合手段は、前記温度自動調節ケーブルの前記一対の電線にそれぞれ接続され、複数の温度自動調節ケーブルを直列に接続することを特徴とする。
【００２３】
前記発熱手段は、前記結合手段が屈曲されたことを特徴とする。
【００２４】
前記外装材の内部に、前記発熱手段を取り囲む内装材をさらに含むことを特徴とする。
【００２５】
前記外装材と前記内装材との間に石粉が含まれたことを特徴とする。
【００２６】
前記石粉は、ゲルマニウム、トルマリン、黄土、木炭、水晶、麦飯石およびセラミックよりなる群から選ばれた少なくとも一つの材質を含むことを特徴とする。
【００２７】
前記外装材は、表面がジャガード織物であることを特徴とする。
【００２８】
前記発熱手段は、前記制御部を介して接続された電線に並列構造で接続され、前記外装材の内部に配列されたことを特徴とする。
【００２９】
また、本発明に係る温度自動調節ケーブルの屈曲方法は、絶縁膜の内部に充填された半導電性ポリマーを介して前記絶縁膜の内部に配列された一対の電線を含む温度自動調節ケーブルの屈曲方法において、前記温度自動調節ケーブルの屈曲部分を設定する段階と、前記屈曲部分に対応する部分の前記絶縁膜を除去して半導電性ポリマーを露出させる段階と、露出した前記半導体性ポリマーを除去して一対の電線を露出させる段階と、露出した前記屈曲部分に対応する部分の前記一対の電線部分を屈曲させる段階とを含むことを特徴とする。
【００３０】
前記温度自動調節ケーブルは、前記絶縁膜の外部に形成された接地線と、前記接地線および前記絶縁膜を取り囲む外部絶縁膜とを含み、前記温度自動調節ケーブルの屈曲部分を設定する段階の後、前記屈曲部分に対応する部分の前記外部絶縁膜を除去する段階をさらに含むことを特徴とする
【００３１】
前記一対の電線を露出させる段階の後、少なくとも一つの電線を他の絶縁膜で取り囲むことを特徴とする。
【発明の効果】
【００３２】
上述したように、本発明は、次の効果を持つ。
本発明に係る過熱防止温熱マットは、周辺の温度が上昇すると、発熱手段の抵抗が増加して自動的に発熱が止まる特性を持つため、一定の温度以上に過熱されることが防止される温度自動調節ケーブルを用いて製造されたもので、使用される条件および周辺の環境に関係なく容易に一定の温度を維持して安全であり、使用に便利であるという利点がある。
また、本発明に係る過熱防止温熱マットは、複数の発熱手段が並列構造で接続されることにより、発熱手段に流れる電流を減少させて電磁波の発生が抑制され、発熱手段に含まれた半導電性ポリマーの炭素成分によって人体に対する治療効果を増加させる遠赤外線を多量輻射して使用者に対する治療効果を倍加させる優れた利点がある。
また、本発明に係る過熱防止温熱マットは、内部に石粉を緩衝材として用いて、身体と接触する部分の触感および緩衝効果に優れるため、長時間の使用が可能であるという利点がある。
また、本発明に係る温度自動調節ケーブルの屈曲方法は、屈曲が必要な部分の断面積を小さく変形して周辺を一定の温度に維持する機能を有する温度自動調節ケーブルを容易に屈曲させるという効果がある。
また、本発明に係る過熱防止温熱マットにおいて、半導電性ポリマーに電源が供給されると、瞬間的に温度が上昇するから、使用者が温度上昇のために一定の時間以上待たなければならないという不便がなく寒い冬にも直ちに温度が上昇し、便利に使用できるという利点がある。
【発明を実施するための最良の形態】
【００３３】
以下、添付図面を参照して本発明の一実施例を詳細に説明する。
図２は、本発明の一実施例に係る過熱防止温熱マットを示す部分切開斜視図、図３は、本発明の温熱マットで発熱手段の一つとして用いられる温度自動調節ケーブルの内部構造を示す斜視図、図４は図３に示した温度自動調節ケーブルの断面図である。
【００３４】
図２〜図４に示すように、本発明の過熱防止温熱マットは発熱手段１３０、制御部１４０および外装材１１０を含む。
【００３５】
前記発熱手段１３０は、印加された電力エネルギーによって発熱し、所定の温度を維持する機能を持つ温度自動調節ケーブルであって、絶縁膜２３０の内部に半導電性ポリマー２２０を介して一対の電線２１０が配列されている。
【００３６】
半導電性ポリマー２２０は、プラスチック樹脂に炭素を含む発熱体であって、温度が増加すると抵抗が増加する特性を持っており、温度自動調節機能を有する材料である。また、温度が一定の温度、例えば８５℃以上に増加すると、半導電性ポリマー２２０は絶縁体のように電流が流れなくなる。
【００３７】
バスワイヤ(bus wire)とも呼ばれる一対の電線２１０に電力が印加されると、バスワイヤの間を電気的に接続する半導電性ポリマー２２０の抵抗特性によって発熱が始まり、半導電性ポリマー２２０から発生する熱によって周辺の温度が増加する。半導電性ポリマー２２０の温度が増加すると、半導電性ポリマー２２０の抵抗が増加して発熱量が減少し、所定の温度になると、それ以上電流が流れなくなって発熱が止まる。したがって、半導電性ポリマー２２０の周辺の温度は減少し、再び半導電性ポリマー２２０が抵抗体として発熱し始める。
【００３８】
したがって、このような半導電性ポリマー２２０を適用した発熱手段１３０は、温度が過熱されることを自ら防止する作用を持っているため、従来の温熱マットから発生する部分過熱問題を根本的に解決するという利点がある。
このような作用によって半導電性ポリマー２２０の温度が所定の温度以上に増加することを防止し、半導電性ポリマー２２０は温度自動調節機能によって一定の温度を維持しながら発熱する。この際、温度自動調節ケーブルでは、絶縁膜２３０の外部に接地線２４０が形成され、接地線２４０および前記絶縁膜２３０は外部絶縁膜２５０によって取り囲まれることが好ましい。
【００３９】
前述した構造を持つ通常の温度自動調節ケーブルは、その断面が楕円形であって、楕円の長軸が１０〜２０ｍｍ以上まで厚くなる。このように厚い温度自動調節ケーブルをそのままジグザグ状に配列して過熱防止温熱マットを形成することが非常に難しいため、温熱マットに適用することが従来の方法では不可能であり、従来の場合には温度自動調節ケーブルを用いた温熱マットが使用できなかった。
本発明は、かかる問題点を解決し、温度自動調節ケーブルに屈曲を与えて温熱マットに適用したものである。
【００４０】
図５は図２に示した本発明の過熱防止温熱マットに使用された発熱手段の屈曲形態を示す斜視図、図６は図５に示した発熱手段の屈曲部分を拡大して示す正面図である。
【００４１】
図５および図６に示すように、本発明に係る過熱防止温熱マットに使用された発熱手段１３０としての温度自動調節ケーブルは、屈曲を形成するために、発熱手段１３０が部分的に異なる厚さを有し、発熱手段１３０の薄肉部が屈曲されるようにすることが好ましい。
【００４２】
また、同一の方法を適用し、発熱手段１３０は複数の温度自動調節ケーブルが結合手段（図示せず）によって直列に接続され、結合手段は温度自動調節ケーブルの内部に設置された一対の電線にそれぞれ接続され、複数の温度自動調節ケーブルを直列に接続することが好ましい。この際、発熱手段において結合手段が屈曲されたことにより、発熱手段をジグザグ状に配列することが好ましい。
【００４３】
これにより、図５および図６に示すように屈曲部分において発熱手段１３０が部分的に薄い厚さの部分を有し、この部分に屈曲が形成されることが容易であって好ましい。一対の電線であるバスワイヤ１３１、１３３を接地線の役割をする金属線１３５と共に残した方が漏電防止効果を増加させることに好ましい。
【００４４】
このように断面の薄肉部は残りの部分に比べて屈曲して使用することが容易であるため、温度自動調節ケーブルをジグザグ状に配列して本発明の過熱防止温熱マットに適用することができる。
【００４５】
例えば、温度自動調節ケーブルは、部分的に半導電性ポリマーの一部分が除去されて一対の電線が分離されて露出し、露出した部分の前記一対の電線の少なくとも一つが他の絶縁膜によって取り囲まれることが好ましい。この際、露出した一対の電線部分が屈曲され、露出した一対の電線のいずれか一つが接地に接続されることが好ましい。図６に示すように、接地線が独立に屈曲されて使用される場合、金属線１３５とバスワイヤ１３１、１３３を他の絶縁膜で取り囲んで絶縁することが好ましい。
【００４６】
また、図３および図４に示した温度自動調節ケーブルにおいて、温度自動調節ケーブルが屈曲される屈曲部分から前記外部絶縁膜２５０、前記絶縁膜２３０および前記半導電性ポリマー２２０が除去され、温度自動調節ケーブル内の一対の電線２１０が部分的に外部に露出することが好ましい。この際、前記一対の電線２１０間の絶縁性を高めるために、露出した部分の前記電線２１０の少なくとも一つが他の絶縁膜によって取り囲まれることが好ましい。
【００４７】
このように絶縁膜および外部絶縁膜が除去されて温度自動調節ケーブルの断面厚さが薄くなった部分を屈曲させてジグザグ状に配列することが好ましい。この際、一対の電線２１０であるバスワイヤと共に、接地線２４０の役割をする金属線を残した方が漏電防止効果を増加させて好ましい。
【００４８】
制御部１４０は、前記発熱手段１３０に電気的に接続され、発熱手段１３０である温度自動調節ケーブルの電線２１０に電力を供給し、供給される電力を調節する機能を持つ。よって、制御部１４０は、外部電源に接続され、温度自動調節ケーブルに電力を供給する電源の役割を果たす。
この際、制御部１４０は、接地線２４０と前記一対の電線２１０間の漏洩電流を感知する漏電遮断器を含み、使用中に絶縁膜２３０が損傷して漏電が発生することを遮断する機能を持つことが好ましい。
【００４９】
外装材１１０は、発熱手段１３０を外部から取り囲み、外装材１１０の上部１１３の表面は本発明の過熱防止温熱マットを使用する使用者の身体と接触する材質であって、使用者に楽な感じを与えるように織物、例えばジャガード織物に加工することが好ましい。
【００５０】
また、外装材１１０は織物または皮革を用いて多層形態の構造を有し、外装材１１０の下部１１１は防水機能と断熱機能を備え、発熱手段の下部１１１への熱損失が発生することを防止する役割を果たす。
【００５１】
前記外装材１１０と発熱手段１３０との間に内装材（図示せず）を挿入し、内装材と外装材１１０との間に、ゲルマニウム、トルマリン、黄土、木炭、水晶、麦飯石およびセラミックからなる群から選ばれた少なくとも一つの材質で形成された石粉（図示せず）を挿入することが好ましい。発熱手段１３０の上部で内装材と外装材１１０との間に充填された石粉は、表面が凸凹な形態に分けられて縫合され、使用者にクッションを提供することが好ましい。
【００５２】
本発明の過熱防止温熱マットは、発熱手段１３０として用いられる温度自動調節ケーブルの屈曲部分を薄く変更して内部にジグザグ状に配列することにより、従来では使用できなかった温度自動調節ケーブルを発熱体として使用した。これにより、摂氏１０〜８５℃の範囲で一定の温度に調節される過熱防止温熱マットが製作され、過熱防止温熱マットを使用する周辺の環境と関係なく常に一定の温度を維持して使用することができるという利点がある、また、この際、最大温度は温度自動調節ケーブルの条件を変更することにより必要に応じて調節できるという利点がある。
【００５３】
また、半導電性ポリマー２２０の主成分材料として使用された炭素は、０．９程度の最も大きい輻射率を持つ物質である。よって、炭素は、特に人体に対する治療効果に優れた波長１２〜１４μｍの遠赤外線を効率よく放出する材料なので、遠赤外線による治療効果を高めるという利点がある。
【００５４】
以下、本発明の過熱防止温熱マットを製作するために使用された本発明に係る温度自動調節ケーブルの屈曲方法について説明する。
図７は本発明の一実施例に係る温度自動調節ケーブルの屈曲方法を順次示す順序図である。
【００５５】
図７に示すように、絶縁膜の内部に充填された半導電性ポリマーを介して絶縁膜の内部に配列された一対の電線を含む温度自動調節ケーブルの屈曲方法によって、断面の厚い温度自動調節ケーブルの屈曲部分を設定する（Ｓ１１０）。使用される温度自動調節ケーブルの用途に応じて、屈曲が必要な部分を定めるもので、使用される温度自動調節ケーブルは絶縁膜の外部に接地線が形成され、接地線および前記絶縁膜は外部絶縁膜によって取り囲まれることが好ましい。
【００５６】
次いで、温度自動調節ケーブルの屈曲部分に対応する部分の外部絶縁膜を除去するが、外部絶縁膜がない場合にはこの段階は当然省略する。
前記屈曲部分に対応する部分の前記絶縁膜を除去して半導電性ポリマーを露出させ（Ｓ１２０）、一対の電線を電気的に接続しながら周辺を取り囲む半導電性ポリマーの露出した部分を除去して一対の電線を露出させる（Ｓ１３０）。
【００５７】
図５に示すように、絶縁膜と半導電性ポリマーが除去された屈曲部分の温度自動調節ケーブルは十分薄くなったため、屈曲部分の温度自動調節ケーブルを屈曲させることが可能である。したがって、一対の電線が露出した屈曲部分を所望の方向に屈曲させて温度自動調節ケーブルを屈曲させる（Ｓ１４０）。この際、一対の電線が互いに接触して短絡が発生する可能性が高くなることが防止するために、露出した一対の電線の少なくとも一方を他の絶縁膜を用いて取り囲むことが好ましい。
【００５８】
以上説明した本発明の温度自動調節ケーブルの屈曲部分は、屈曲して方向を変更して使用することが難しかった温度自動調節ケーブルを容易に屈曲させ、一定温度の加熱が必要な加熱装置または産業現場で使用することができるという利点がある。
【００５９】
一方、図８は本発明の他の実施例に係る温熱マットにおいて複数の発熱手段が並列構造で接続されたことを示す回路連結図、図９は図８に示した温熱マットにおいて電磁波が測定された位置を示す平面図、図１０は電磁波がｍＧ(m Gauss)単位で測定された結果を示すデータを表示した図表である。
【００６０】
前述した図２、図４、図５および図８に示すように、本発明の他の実施例に係る過熱防止温熱マットは、複数の発熱手段１３０、制御部１４０および外装材１１０を含み、複数の発熱手段は並列構造で接続されている。
【００６１】
このように温度調節機能を持つ温度自動調節ケーブルからなる複数の発熱手段は、図８に示したように、電源の役割をする制御部１４０を介して接続された電気線１４１、１４２から複数の分岐点１３１−１に分岐されて複数の発熱手段に並列に接続され、外装材の内部に配列されている。この際、複数の発熱手段はそれぞれ熱を発生させる抵抗体として作用し、制御部に並列に接続されている。
【００６２】
このように配列構造で分けられて接続された複数の発熱手段は、並列に接続されてそれぞれの発熱手段に印加される電流を減少させ、これにより発熱手段からの電磁波を減少させるという効果がある。
【００６３】
本発明の過熱防止温熱マットで適用された並列構造を使用する場合、温度自動調節ケーブルを屈曲させる部分がなくなるという利点があるため、本発明に係る過熱防止温熱マットはその製作も容易になるという利点があって好ましい。
【００６４】
以下、温度自動調節ケーブルを用いた本発明の過熱防止温熱マットから発生する電磁波を、複数の発熱手段が接続された構造によって比較した。
図９は図８に示した温熱マットで電磁波が測定された位置を表示した平面図、図１０は電磁波がｍＧ(m Gauss)単位で測定された結果を示すデータを表示した図表である。
【００６５】
この際、直列構造１は前記温度自動調節ケーブルを立てて屈曲させたものであり、直列構造２および直列構造３は屈曲部分で温度自動調節ケーブルの厚さを変化させて屈曲させたものであって、直列構造２は温度自動調節ケーブル内の一対の電線を交差させたものであり、直列構造３は交差させていないものである。
図１０の結果を比較すると、直列に接続された温度自動調節ケーブルを使用するものは位置に応じて大きさが増加するが、並列構造を使用した本発明の過熱防止温熱マットは非常に小さい電磁波が測定された。
【００６６】
したがって、本発明に係る過熱防止温熱マットは、周辺の温度が増加すると、発熱手段の抵抗が増加して自動的に発熱が止まる特性を持つため、一定の温度以上に過熱されることが防止されるうえ、電磁波の発生も画期的に減少させて過熱防止温熱マットを使用する使用者の健康に大きく役に立つという利点がある。
【産業上の利用可能性】
【００６７】
本発明の好適な実施例を例示の目的で開示したが、当業者であれば、添付した特許請求範囲に開示されたような本発明の範囲から逸脱することなく、多様な変形、付加および代替が可能であることが理解されるであろう。
【図面の簡単な説明】
【００６８】
【図１】発熱手段を使用した従来の温熱マットを示す部分切開斜視図である。
【図２】本発明の一実施例に係る過熱防止温熱マットを示す部分切開斜視図である。
【図３】本発明の温熱マットで発熱手段の一つとして用いられる温度自動調節ケーブルの内部構造を示す斜視図である。
【図４】図３に示した温度自動調節ケーブルの断面図である。
【図５】図２に示した本発明の過熱防止温熱マットに使用された発熱手段が屈曲される形態を示す斜視図である。
【図６】図５に示した発熱手段の屈曲部分を拡大して示す正面図である。
【図７】本発明の一実施例に係る温度自動調節ケーブルの屈曲方法を順序示す順序図である。
【図８】本発明の他の実施例に係る温熱マットにおいて発熱手段が並列構造で接続されたことを示す回路連結図である。
【図９】図８に示した温熱マットにおいて電磁波が測定された位置を表示した平面図である。
【図１０】電磁波をｍＧ(m Gauss)単位で測定された結果を示すデータを表示した図表である。
【符号の説明】
【００６９】
１１０…外装材、１１１…下部、１１３…上部、１３０…発熱手段、１３１，１３３…バスワイヤ、１３５…金属線、１４０…制御部、２１０…電線、２２０…半導電性ポリマー、２３０…絶縁膜、２４０…接地線、２５０…外部絶縁膜
【図１】
2009533196.tif 000003
【図２】
2009533196.tif 000004
【図３】
2009533196.tif 000005
【図４】
2009533196.tif 000006
【図５】
2009533196.tif 000007
【図６】
2009533196.tif 000008
【図７】
2009533196.tif 000009
【図８】
2009533196.tif 000010
【図９】
2009533196.tif 000011
【図１０】
2009533196.tif 000012
【国際調査報告】
2009533196.tif 000013
2009533196.tif 000014